(57)【要約】      （修正有） 【課題】排気内の臭気と微分子を効率よく除去し、使用効率を高めることのできる排気洗浄タワーを提供する。【解決手段】タワー本体ユニット３と、タワー本体ユニット３に内設するろ過ユニット４と、外部からの水をタワー本体ユニット３内に導入する洗浄ユニット５とを含み、タワー本体ユニット３は、複数の仕切り板３１を設けて、排気が流動する複数の通路３２を構成し、かつ排気進入口３４と排気口３５とを形成し、ろ過ユニット４は複数のフィルター４１を具え、かつろ過ユニット４が通路３２に設けられ、洗浄ユニット５によって通路３２内にウォーターカーテンを形成し、排気洗浄タワーに進入した排気に複数回の洗浄とろ過の動作を行い、洗浄ユニット５が複数の洗浄セット５１を具え、かつ洗浄ユニット５がポンプセット５１１と、給水管セット５１３、５２３と、調圧管５１４、５２４と、複数のノズルセット５１５、５２５とを具える。【選択図】図２
0003211096.tif 000002
【実用新案登録請求の範囲】
【請求項１】
タワー本体ユニットと、タワーユニット本体に内設するろ過ユニットと、外部からの水を該タワーユニット内に導入する洗浄ユニットとを含む排気洗浄タワーであって、
該タワー本体ユニットは、複数の仕切り板を設けて、排気が流動する複数の通路を構成し、かつ該タワー本体ユニットに排気進入口と排気口とを形成し、
該ろ過ユニットは複数のフィルターを具え、かつ該ろ過ユニットが該通路に設けられ、
該洗浄ユニットによって該通路内にウォーターカーテンを形成し、該排気洗浄タワーに進入した排気に複数回の洗浄とろ過の動作を行い、
該洗浄ユニットが複数の洗浄セットを具え、かつ該洗浄ユニットがポンプセットと、該ポンプセットに接続する抽水管と。該ポンプセットに接続する給水管セットと、該ポンプセットに接続する調圧管と、該給水管セットに、接続する複数のノズルセットとを具えるとともに、該ノズルセットが水平方向に対向し、かつ上下に対をなして設けられることを特徴とする排気洗浄タワー。
【請求項２】
前記タワー本体ユニットの一方の側にフィルター取付け口を設け、該複数の通路の内の第１通路上端に排気進入口を設け、かつ他の通路に排気口を設けるとともに、複数の該通路に該ろ過ユニットの複数の該フィルターの取付けに供するフィルター取付け部を設け、該フィルター取付け部が該仕切り板に凸設する補強リブによって構成され、
該排気口を設ける通路に水受け板を設け、
該ろ過ユニットに複数のろ過部材を内設することを特徴とする請求項１に記載の排気洗浄タワー。
【請求項３】
前記タワー本体ユニットの下端部が、底端に向かって直径が漸縮して貯水部を形成し、かつ該貯水部の上方にオーバーフロー口と水位コントローラとを設けるとともに、該貯水部の底部に排水口を設けることを特徴とする請求項１、もしくは請求項２に記載の排気洗浄タワー。
【請求項４】
前記複数の通路が、互いに連通する第１通路と第２通路と第３通路と第４通路の順によってなり、該第１通路の上端に排気進入口を設け、かつ該第４通路の上方に排気口を設けるとともに、該第４通路に複数の水受け板を設けることを特徴とする請求項１、もしくは請求項２に記載の排気洗浄タワー。
【請求項５】
前記洗浄ユニットが第１洗浄セットと第２洗浄セットとを含み、
該第１洗浄セットが、第１ポンプセットと、該第１ポンプセットに接続する第１抽水管と、該第１ポンプセットに接続する第１給水管セットと、該第１ポンプセットに接続する第１調圧管と、該第１給水管セットに接続する複数の第１ノズルセットとを含んでなり、
該第２洗浄セットが第２ポンプセットと、該第２ポンプセットに接続する第２抽水管と、該第２ポンプセットに接続する第２給水管セットと、該第２ポンプセットに接続する第２調圧管と、該第２給水管セットに接する複数の第２ノズルセットとを含んでなることを特徴とする請求項１に記載の排気洗浄タワー。
【請求項６】
前記洗浄ユニットが第１洗浄セットと第２洗浄セットとを含み、
該第１洗浄セットが、第１ポンプセットと、該第１ポンプセットに接続する第１抽水管と、該第１ポンプセットに接続する第１給水管セットと、該第１ポンプセットに接続する第１調圧管と、該第１給水管セットに接続する複数の第１ノズルセットとを含んでなり、
該複数の通路が、互いに連通する第１通路と第２通路と第３通路と第４通路の順によってなり、
該第１ノズルセットが水平方向に対向し、かつ上下に対をなして該第１通路に設けられるとともに、一部が該第２通路に設けられることを特徴とする請求項１に記載の排気洗浄タワー。
【請求項７】
前記洗浄ユニットが第１洗浄セットと第２洗浄セットとを含み、
該第２洗浄セットが、第２ポンプセットと、該第２ポンプセットに接続する第２抽水管と、該第２ポンプセットに接続する第２給水管セットと、該第２ポンプセットに接続する第２調圧管と、該第２給水管セットに接続する複数の第２ノズルセットとを含んでなり、
該複数の通路が、互いに連通する第１通路と第２通路と第３通路と第４通路の順によってなり、
第１ノズルセットが水平方向に対向し、かつ上下に対をなして該第２通路と該第３通路に設けられ、一部分が該第２通路内において該第１ノズルセットと上下に対をなして設けられ、別途該第２通路の上端にも該第２ノズルセットを設けることを特徴とする請求項１に記載の排気洗浄タワー。
【請求項８】
前記複数の通路が、互いに連通する第１通路と第２通路と第３通路と第４通路の順によってなり、該ろ過ユニットが該通路の該第１通路と該第２通路と該第３通路に設けられ、かつ上下隔離して該第１通路と該第２通路と該第３通路に設けられることを特徴とする請求項１に記載の排気洗浄タワー。
【請求項９】
前記第１ノズルセットが噴射する水が霧化し、かつ交差、重畳するウォーターカーテンを形成することを特徴とする請求項６に記載の排気洗浄タワー。
【請求項１０】
前記第２ノズルセットが噴射する水が霧化し、かつ交差、重畳するウォーターカーテンを形成することを特徴とする請求項７に記載の排気洗浄タワー。
【考案の詳細な説明】
【技術分野】
【０００１】
この考案は、排気物処理技術に関し、特に排気を洗浄して臭気を除去する排気洗浄タワーに関する。
【背景技術】
【０００２】
工業、畜産業、飲食業などを運営する場合に、人を極度に不快にする排気が発生する。よって、人の不快感を招く業種は、通常住民の講義を受ける。よってこれら業者は排気の不快な臭気の問題の解決策を考えずにはいられない。
【０００３】
飲食業を例に挙げれば、調理の際に一部の食材から高濃度の臭気が発生する。例えば発酵させた豆腐、ニンニク、唐辛子などである。これら食材を調理する際に発生する高濃度の臭気は、往々にして人を困惑させる。よって飲食業においては、排気洗浄タワーを設けて人を不快にする臭気を除去し、人に迷惑をかけないようにしている。
【０００４】
図１に開示するように、従来の排気タワー１は本体１１と、本体１１に内設する洗浄手段１１２とを含む。本体１１は排気進入口１１１と排気出口１１２と、排水口１１３とを具える。排気は排気進入口１１１から本体１１内に進入する。洗浄手段１１２はノズル１２１を具え、外部からの水を噴出する。よって、本体１１に進入した排気に対して洗浄の動作を行う。排気は洗浄された後、排気出口１１２から本体１１の外部に排出される。このため、排気の微分子を低減し、排気の臭みを低下させる。本体１１内に蓄積する洗浄された微分子は廃水とともに排水口１１３から本体１１の外部に排出される。
【０００５】
従来の排気洗浄タワーの構造は叙述するとおりであって、すでに排気の臭みを抑制することができてはいるものの、効率よく人に不快感を与えない程度には達していない。よって、調理の排気の人不快感を呼ぶ臭みを効率的に改善する排気洗浄タワーを如何にして提供するかが、その改善策が排気洗浄タワー製造業者の待望する課題となっている。
【考案の概要】
【考案が解決しようとする課題】
【０００６】
この考案は、排気内の臭気と微分子を効率よく除去し、使用効率を高めることのできる排気洗浄タワーを提供することを課題とする。
【課題を解決するための手段】
【０００７】
この考案は、排気洗浄タワーを提供するものであって、請求項１に記載する排気洗浄タワーの主な技術内容は、タワー本体ユニットと、タワーユニット本体に内設するろ過ユニットと、外部からの水を該タワーユニット内に導入する洗浄ユニットとを含んでなり、該タワー本体ユニットは、複数の仕切り板を設けて、排気が流動する複数の通路を構成し、かつ該タワー本体ユニットに排気進入口と排気口とを形成し、該ろ過ユニットは複数のフィルターを具え、かつ該ろ過ユニットが該通路に設けられ、該洗浄ユニットによって該通路内にウォーターカーテンを形成し、該排気洗浄タワーに進入した排気に複数回の洗浄とろ過の動作を行なうことにある。
【考案の効果】
【０００８】
上述する請求項１の主要技術内容によって達成される効果は次のとおりである。即ち、該タワー本体ユニット内に排気の流動する複数の通路を形成し、該通路に複数のフィルターを具えるろ過ユニットを設けるとともに、該通路に洗浄ユニットを設けることで、該通路にウォーターカーテンを形成し、排気洗浄タワーに進入した排気に複数回の洗浄と複数回のろ過を行い、排気に含まれる臭気と微分子を効率よく除去し、排気洗浄タワーの使用上の効果を高めるという効果が得られる。
【図面の簡単な説明】
【０００９】
【図１】従来の排気洗浄タワーの構造を示した説明図である。
【図２】この考案による排気洗浄タワーの構造を示した説明図である。
【図３】この考案による排気洗浄タワーの平面説明図である。
【図４】この考案における排気の流動と洗浄の動作を示した説明図である。
【図５】この考案における洗浄の噴射の動作形成されるウォーターカーテンを示した説明図である。
【考案を実施するための形態】
【００１０】
図２、３にこの考案による排気洗浄タワーを開示する。図面に開示するように、排気洗浄タワー２は、タワー本体ユニット３と、タワーユニット本体３に内設するろ過ユニット４と、外部からの水を該タワーユニット３内に導入する洗浄ユニット５とを含む。
【００１１】
図２、３に開示するように、タワー本体ユニット３は、複数の仕切り板３１を設けて、複数の互いに連通する通路３２を構成する。この考案の実施の形態においては４本の通路３２を形成する。順に述べると第１通路３２１と、第２通路３２２と、第３通路３２３と第４通路３２４である。通路３２の一方の側には複数のフィルター取付け口３３を形成する。フィルター取付け口３３は、ろ過ユニット４のフィルター４１の取付けと、交換の際にタワー本体３内に置くために供する。通路３２の第１通路３２１上方には排気進入口３４を形成する。第１通路３２１は下端が第２通路３２２に連通し、第２通路３２２は上方において第３通路３２３と連通する、第３通路３２３は下方において第４通路３２４と連通する。第４通路３２４上方には排気口３５を形成する。第１通路３２１と、第２通路３２２と、第３通路３２３とにはろ過ユニット４を取付けるための複数のフィルター取付け部３６を設ける。フィルター取付け部３６は仕切り板３１に凸設する補強リブ３１１によって構成される。第４通路３２４には、第３通路３２３の方向に突出し、かつ傾斜した水受け板３７を設ける。水受け板３７は複数設ける。タワー本体ユニット３の下端部は底端に向かって直径が漸縮して貯水部３８を形成する。貯水部３８の上方にはオーバーフロー口３９と、水位コントローラＡとを設ける。オーバーフロー口３９はタワー本体ユニット３の外部に通じ、水位コントローラＡは貯水部３８の水位の高さを制御する。貯水部３８の水位が予め設定された高さより低くなると、水位コントローラＡが感知して自動的に貯水部３８に水が進入する。タワー本体ユニット３は、貯水部３８の底部に排水口３０を設ける。排水口３０から貯水部３８内の廃水をタワー本体ユニット３の外部に排出する。
【００１２】
図２、３に開示するように、ろ過ユニット４は複数のフィルター４１によって構成される。フィルター４１は複数のろ過部材４２を内設する。フィルターユニット４は、タワー本体ユニット３のフィルター取付け部３６上に取付ける。さらに明確に述べると、ろ過ユニット４は通路３２の第１通路３２１と、第２通路３２２と、及び第３通路３２３内に設け、かつ上下隔離する方式での第１通路３２１と、第２通路３２２と、及び第３通路３２３内に取付ける。
【００１３】
図２、３に開示するように、洗浄ユニット５は第１洗浄セット５１と第２洗浄セット５２とを含む。第１洗浄セット５１は、第１ポンプセット５１１と、第１ポンプセット５１１に接続する第１抽水管５１２と、第１ポンプセット５１１に接続する第１給水管セット５１３と、第１ポンプセット５１１に接続する第１調圧管５１４と、第１給水管セット５１３に接続する複数の第１ノズルセット５１５とを含んでなる。第２洗浄セット５２は、第２ポンプセット５２１と、第２ポンプセット５２１に接続する第２抽水管５２２と、第２ポンプセット５２１に接続する第２給水管セット５２３と、第２ポンプセット５２１に接続する第２調圧管５２４と、第２給水管セット５２３に接続する複数の第２ノズルセット５２５とを含んでなる。
【００１４】
図２、３に開示するように、第１洗浄セット５１は第1ポンプセット５１１が第１抽水管５１２を介してタワー本体ユニット３の貯水部３８内の低層の比較的清浄な水を抽出し、抽出された水は第１調圧管５１４によって圧力を調整した後、第１給水管セット５１３によって一部をタワー本体ユニット３の第１通路３２１に送り、かつ一部は第２通路３２２に送る。第1給水管セット５１３に接続する第１ノズルセット５１５は、上下に対をなし、かつ水平方向に対向して第１通路３２１と第２通路３２２の一方の壁面に設けられ、第１ポンプセットセット５１１が貯水部３８の清浄な水を第１ノズルセット５１５に送ると、第１ノズルセット５１５から噴射される水が霧化し、交差、重畳したウォーターカーテンを形成して第１通路３２１に進入した排気に対して洗浄を行う。
【００１５】
図２、３に開示するように、第２洗浄セット５１は第２ポンプセット５２１が第２水管５２２を介してタワー本体ユニット３の貯水部３８内の低層の比較的清浄な水を抽出し、抽出された水は第２調圧管５２４によって圧力を調整した後、第２給水管セット５２３によってタワー本体ユニット３の第２通路３２２と第３通路３２３に送る。第２給水管セット５２３に接続する第２ノズルセット５２５は、上下に対をなし、かつ水平方向に対向して第３通路３２３内と第２通路３２２の他方の壁面に設けられる。その内、一部は第２通路３２２内において第１洗浄セット５１からの第１ノズルセット５１５と対向して設ける。別途第２通路３２２の上端にも第２ノズルセット５２５を設ける。即ち、第２通路３２２内においては上から下への噴射、霧化を具える。よって、第２ポンプセットセット５２１が貯水部３８の清浄な水を第２ノズルセット５２５に送ると、第２ノズルセット５２５から噴射される水が霧化し、交差、重畳したウォーターカーテンを形成して第２通路３２２と第３通路３２３内の排気に対して洗浄の動作を行う。
【００１６】
図３、４、５に開示するように、この考案を実施した排気洗浄タワーにおいては、高濃度の調理の排気が排気進入口３４からタワー本体ユニット３の第１通路３２１内に進入する。この場合、洗浄ユニット５がすでに同時に起動し、タワー本体ユニット３の通路３２内にウォーターカーテンを形成する。よって、排気が第１通路３２１に進入すると、排気は上から下へ進み、第１通路３２１内に形成されたウォーターカーテンによって洗浄処理される。同時に第１通路３２１に設けたろ過ユニット４のフィルター４１が排気に対して微分子をろ過する。排気は、第１通路３２１における初歩の洗浄、ろ過を経た後、第１通路３２１の下方から第２通路３２２に進入する。この場合、排気は下から上へ上昇する。第２通路３２２のウォーターカーテンは上から下へ、及び左右交差する方式で排気に対して第２回目の洗浄動作を行う。同時に第２通路３２２内に設けたろ過ユニット４のフィルターが排気に対して第２回目のろ過を行い、微分子をろ過する。排気が第２通路３２２を通過すると、第２通路３２２の上端から第３通路３２３に進入する。この場合、排気は上から下に移動する。排気が第３通路３２３に進入すると、第３通路３２３に形成された、左右交差するウォーターカーテンによって再度洗浄される。同時に第３通路３２３に設けたろ過ユニット４のフィルター４１が排気に対して第３回目の微分子のろ過を行い。排気は第３通路３２３の下端から第４通路３２４に進入する。
第４通路３２４に進入した排気は、ウォーターカーテンによる３回の洗浄と、ろ過ユニット４のフィルター４１による３回のろ過を経ているので、人を不快にさせる臭気がなくなる。第４通路３２４に進入した排気は水受け板３７によって水分子が除去され、第４通路上方に設けた排気口３５から外部の気体内に排出される。排気に含まれる油成分、又は微分子などは、一部分はろ過ユニット４のフィルター４１に付着し、一部分はウォーターカーテンの洗浄によって貯水部３８に浮かんで蓄積される。飲食業者が休んだ場合に、使用者は排水口３０を開けて貯水部３８内の廃水を排出し、清浄な水を入れることで、この考案の排気洗浄タワー２をスタンバイ状態にすることができる。
【００１７】
この考案の効果は、タワー本体ユニット３内に設けた複数の排気流動に供する通路３２と通路３２に設けたろ過ユニット４の複数のフィルター４１と通路３２に設けた洗浄ユニット５によって形成されるウォーターカーテンによって排気を処理することで達成する。即ち、排気が排気洗浄タワー２に進入すると、複数回のウォーターカーテンによる洗浄と複数回のろ過とを行い、排気内の臭気と微分子を効率よく除去する。よって、排気洗浄タワー２は使用上の効果を高めることができる。
【符号の説明】
【００１８】
１      排気洗浄タワー
１１    本体
１１１  排気進入口
１１２  排気出口
１１３  排水口
１２    洗浄手段
１２１  ノズル
２      排気洗浄タワー
３      タワー本体ユニット
３０    排水口
３１    仕切り板
３１１  補強リブ
３２    通路
３２１  第１通路
３２２  第２通路
３２３  第３通路
３２４  第４通路
３３    フィルター取付け口
３４    排気進入口
３５    排気口
３６    フィルター取付け部
３７    水受け板
３８    貯水部
３９    オーバーフロー口
４      ろ過ユニット
４１    フィルター
４２    ろ過部材
５      洗浄ユニット
５１    第１洗浄セット
５１１  第１ポンプ
５１２  第１抽水管
５１３  第１給水管セット
５１４  第１調圧管
５１５  第１ノズルセット
５２    第２洗浄セット
５２１  第２ポンプ
５２２  第２抽水管
５２３  第２給水管セット
５２４  第２調圧管
５２５  第２ノズルセット
Ａ      水位コントローラ
５１４  第１調圧管
【図１】
0003211096.tif 000003
【図２】
0003211096.tif 000004
【図３】
0003211096.tif 000005
【図４】
0003211096.tif 000006
【図５】
0003211096.tif 000007